(57)【要約】【課題】施工性が高く、短時間で出隅になる部分の補強を行うことができ、かつ、安定して高品質な出隅を作成すること。【解決手段】コーナーボード５０は、建築物の室内の柱９０に取り付けられる。裏面で柱９０の一側面に対向することとなる第一石膏ボード芯材部２１と、柱９０の一側面に隣接する他側面に、裏面で対向することとなる第二石膏ボード芯材部２２と、第一石膏ボード芯材部２１の表面及び第二石膏ボード芯材部２２の表面を覆うようにして配置された紙部材３１と、第一石膏ボード芯材部２１及び第二石膏ボード芯材部２２に隣接して配置されるとともに紙部材３１の裏面に隣接して配置される補強部材１０と、を備える。コーナーボード５０は柱９０の一側面及び他側面によって形成される角部を覆う。【選択図】図２
2015151743.tif 000002
【特許請求の範囲】
【請求項１】
建築物の室内の柱に取り付けられるコーナーボードであって、
裏面で前記柱の一側面に対向することとなる第一石膏ボード芯材部と、
前記柱の一側面に隣接する他側面に、裏面で対向することとなる第二石膏ボード芯材部と、
前記第一石膏ボード芯材部の表面及び前記第二石膏ボード芯材部の表面を覆うようにして配置された紙部材と、
前記第一石膏ボード芯材部及び前記第二石膏ボード芯材部に隣接して配置されるとともに前記紙部材の裏面に隣接して配置される補強部材と、
を備え、
前記柱の前記一側面及び前記他側面によって形成される角部を覆うことを特徴とするコーナーボード。
【請求項２】
前記紙部材は石膏ボード用原紙であり、
前記石膏ボード用原紙は、石膏を硬化して石膏ボード芯材を形成する際に前記石膏ボード芯材に固着されることを特徴とする請求項１に記載のコーナーボード。
【請求項３】
前記補強部材は不燃性材料からなることを特徴とする請求項１又は２のいずれかに記載のコーナーボード。
【請求項４】
前記補強部材は、前記紙部材に隣接する部分で横断面が円弧形状となっていることを特徴とする請求項３に記載のコーナーボード。
【請求項５】
前記第一石膏ボード芯材部に隣接して前記補強部材が配置され、
前記補強部材に隣接して前記第二石膏ボード芯材部が配置され、
前記第一石膏ボード芯材部及び前記第二石膏ボード芯材部は互いに接触しないことを特徴とする請求項３又は４のいずれかに記載のコーナーボード。
【請求項６】
前記不燃性材料は不燃性無機質材料であることを特徴とする請求項３乃至５のいずれか１項に記載のコーナーボード。
【請求項７】
前記補強部材は難燃性材料からなることを特徴とする請求項１又は２のいずれかに記載のコーナーボード。
【請求項８】
前記補強部材は中空の柱形状となっていることを特徴とする請求項７に記載のコーナーボード。
【請求項９】
前記第一石膏ボード芯材部及び前記第二石膏ボード芯材部は前記柱側に位置することとなる部分で互いに接触し、
前記第一石膏ボード芯材部の前記紙部材側の部分に隣接して前記補強部材が配置され、かつ、前記第二石膏ボード芯材部の前記紙部材側の部分に隣接して前記補強部材が配置され、前記第一石膏ボード芯材部及び前記第二石膏ボード芯材部の当該紙部材側の部分は互いに接触しないことを特徴とする請求項７又は８のいずれかに記載のコーナーボード。
【請求項１０】
前記補強部材は、前記柱の前記一側面及び前記他側面によって形成される角部を補強することを特徴とする請求項１乃至９のいずれか１項に記載のコーナーボード。
【請求項１１】
建築物の室内の柱に取り付けられるコーナーボードの製造方法であって、
石膏ボード用原紙上に石膏を流す工程と、
前記石膏を硬化させて石膏ボード芯材を形成する工程と、
前記石膏ボード用原紙を残しつつ前記石膏ボード芯材を切削し、前記石膏ボード芯材の横断面において凹部を形成し、第一石膏ボード芯材部及び第二石膏ボード芯材部を製造する工程と、
前記凹部内に補強部材を載置する工程と、
前記第一石膏ボード芯材部及び前記第二石膏ボード芯材部を折り曲げることで、前記第一石膏ボード芯材部及び前記第二石膏ボード芯材部の間に前記補強部材を挟み込む工程と、
を備えることを特徴とするコーナーボードの製造方法。
【発明の詳細な説明】
【技術分野】
【０００１】
本発明は、建築物の室内の柱に取り付けられるコーナーボードと、当該コーナーボードの製造方法に関する。
【背景技術】
【０００２】
従来から、室内の柱や壁の内側へ突出した、いわゆる出隅と称される箇所を
作成する際に二枚の石膏ボードを互いにほぼ直交方向から突き合わせることが知られている（特許文献１参照）。石膏ボードは強度がそれほど強くないことから、建築後に物等をぶつけてしまう可能性が比較的高い出隅の部分を何らしかの手段で補強することが必要となる。出隅を作成するために、現在では一般に、切断して幅方向の長さを調整した石膏ボードを二枚貼り合わせて角を作成し、作成された角の部分に補強部材を設置し、その後でパテ処理を施すことを行っている。
【先行技術文献】
【特許文献】
【０００３】
【特許文献１】特開２００５−３２０７９３号公報
【発明の概要】
【発明が解決しようとする課題】
【０００４】
しかしながら、現在一般に行われている方法を採用した場合には、大工等の専門家が行っても、切断して二枚の石膏ボードの幅方向の長さを調整したうえで石膏ボードを二枚貼り合わせるのに約１５分かかり、パテ処理を施すのに約３０分かかってしまう。また、このようにパテを利用する場合には、長時間経過した後で、出隅に施したパテにひび割れが入ってしまうという不都合が発生する可能性もある。
【０００５】
本発明は、このような点を鑑みてなされたものであり、施工性が高く、短時間で高品質な出隅を作成することができるコーナーボードと、このようなコーナーボードの製造方法を提供する。
【課題を解決するための手段】
【０００６】
本発明によるコーナーボードは、
建築物の室内の柱に取り付けられるコーナーボードであって、
裏面で前記柱の一側面に対向することとなる第一石膏ボード芯材部と、
前記柱の一側面に隣接する他側面に、裏面で対向することとなる第二石膏ボード芯材部と、
前記第一石膏ボード芯材部の表面及び前記第二石膏ボード芯材部の表面を覆うようにして配置された紙部材と、
前記第一石膏ボード芯材部及び前記第二石膏ボード芯材部に隣接して配置されるとともに前記紙部材の裏面に隣接して配置される補強部材と、
を備え、
前記柱の前記一側面及び前記他側面によって形成される角部を覆う。
【０００７】
本発明によるコーナーボードにおいて、
前記紙部材は石膏ボード用原紙であり、
前記石膏ボード用原紙は、石膏を硬化して石膏ボード芯材を形成する際に前記石膏ボード芯材に固着されてもよい。
【０００８】
本発明によるコーナーボードにおいて、
前記補強部材は不燃性材料からなってもよい。
【０００９】
本発明によるコーナーボードにおいて、
前記補強部材は、前記紙部材に隣接する部分で横断面が円弧形状となってもよい。
【００１０】
本発明によるコーナーボードにおいて、
前記第一石膏ボード芯材部に隣接して前記補強部材が配置され、
前記補強部材に隣接して前記第二石膏ボード芯材部が配置され、
前記第一石膏ボード芯材部及び前記第二石膏ボード芯材部は互いに接触しなくてもよい。
【００１１】
本発明によるコーナーボードにおいて、
前記不燃性材料は不燃性無機質材料であってもよい。
【００１２】
本発明によるコーナーボードにおいて、
前記補強部材は難燃性材料からなってもよい。
【００１３】
本発明によるコーナーボードにおいて、
前記補強部材は中空の柱形状となってもよい。
【００１４】
本発明によるコーナーボードにおいて、
前記第一石膏ボード芯材部及び前記第二石膏ボード芯材部は前記柱側に位置することとなる部分で互いに接触し、
前記第一石膏ボード芯材部の前記紙部材側の部分に隣接して前記補強部材が配置され、かつ、前記第二石膏ボード芯材部の前記紙部材側の部分に隣接して前記補強部材が配置され、前記第一石膏ボード芯材部及び前記第二石膏ボード芯材部の当該紙部材側の部分は互いに接触しなくてもよい。
【００１５】
本発明によるコーナーボードにおいて、
前記補強部材は、前記柱の前記一側面及び前記他側面によって形成される角部を補強してもよい。
【００１６】
本発明によるコーナーボードの製造方法は、
建築物の室内の柱に取り付けられるコーナーボードの製造方法であって、
石膏ボード用原紙上に石膏を流す工程と、
前記石膏を硬化させて石膏ボード芯材を形成する工程と、
前記石膏ボード用原紙を残しつつ前記石膏ボード芯材を切削し、前記石膏ボード芯材の横断面において凹部を形成し、第一石膏ボード芯材部及び第二石膏ボード芯材部を製造する工程と、
前記凹部内に補強部材を載置する工程と、
前記第一石膏ボード芯材部及び前記第二石膏ボード芯材部を折り曲げることで、前記第一石膏ボード芯材部及び前記第二石膏ボード芯材部の間に前記補強部材を挟み込む工程と、
を備える。
【発明の効果】
【００１７】
本発明によれば、既に完成したコーナーボードを出隅となる部分に設置するだけなので、出隅となる部分を作成する時間を短くすることができる。また、第一石膏ボード芯材部の表面及び第二石膏ボード芯材部の表面に既に紙部材が貼り付けられていることから、改めてパテ処理を行う必要がなく施工性を高めることができる。また、工場等でコーナーボードを予め製造することができるので、例えば大工の腕の良さ等に影響されず、安定して高品質な出隅を作成することができる。
【図面の簡単な説明】
【００１８】
【図１】図１は、本発明の第１の実施の形態によるコーナーボードの設置態様を示す斜視図である。
【図２】図２は、本発明の第１の実施の形態によるコーナーボードの一例における横断面図である。
【図３】図３は、本発明の第１の実施の形態によるコーナーボードの別の例における横断面図である。
【図４】図４（ａ）−（ｃ）は、本発明の第１の実施の形態によるコーナーボードの利用態様を示した横断面図である。
【図５】図５（ａ）−（ｅ）は、本発明の第１の実施の形態によるコーナーボードの製造方法を示した概略図である。
【図６】図６は、本発明の第２の実施の形態によるコーナーボードの一例における横断面図である。
【図７】図７（ａ）−（ｅ）は、本発明の第２の実施の形態によるコーナーボードの製造方法を示した概略図である。
【図８】図８（ａ）は、本発明の実施の形態によるコーナーボードの利用態様の変形例を示した横断面図であり、図８（ｂ）は、本発明の実施の形態によるコーナーボードの利用態様の別の変形例を示した横断面図である。
【発明を実施するための形態】
【００１９】
第１の実施の形態
《構成》
以下、本発明に係るコーナーボード及びコーナーボードの製造方法の第１の実施の形態について、図面を参照して説明する。ここで、図１乃至図５（ａ）−（ｅ）は本発明の第１の実施の形態を説明するための図である。
【００２０】
本実施の形態のコーナーボード５０は、室内の柱や壁の内側へ突出した、いわゆる出隅と称される箇所を作成するために用いられるものであり、より具体的には、図１に示すように、室内の柱９０の角に取り付けられるものである。本実施の形態のコーナーボード５０は、例えば留め金具９３によって柱９０に固定される。なお、本実施の形態のコーナーボード５０を隣接する石膏ボード８０に固定するためにパテを用いてもよいが、後述するように施工性の高さから言うとこのようなパテを用いない方が好ましい。ちなみに、図１の符号９０が本実施の形態の「柱」であり、符号９１は「間柱」である。また、本実施の形態のコーナーボード５０が取り付けられる柱９０は、一般住宅によく使用される木製のものであろうが、ビル等に使用される金属製のものであろうが問わない。また、柱９０は図１に示すように上下方向に延在しているものでもよいが、左右方向に延在しているものでもよい。また、本実施の形態の柱９０は窓枠を形成する際に用いられるものであってもよい（図８（ａ）（ｂ）参照）。
【００２１】
本実施の形態のコーナーボード５０は、図２及び図３に示すように、裏面で柱９０の一側面に対向することとなる第一石膏ボード芯材部２１と、柱９０の一側面に隣接する他側面（一側面に対して略９０度の角度で隣接する他側面）に、裏面で対向することとなる第二石膏ボード芯材部２２と、第一石膏ボード芯材部２１の表面及び第二石膏ボード芯材部２２の表面を覆うようにして配置された紙部材３１と、を備えている。
【００２２】
また、本実施の形態のコーナーボード５０は、第一石膏ボード芯材部２１及び第二石膏ボード芯材部２２に隣接して配置されるとともに紙部材３１の裏面に隣接して配置され、柱９０の一側面及び他側面によって形成される角部を覆う補強部材１０も備えている。そして、補強部材１０がこのように柱９０の一側面及び他側面によって形成される角部を覆うことで、当該角部を補強することができる。なお、本実施の形態では、第一石膏ボード芯材部２１の柱９０側の面（すなわち裏面）と第二石膏ボード芯材部２２の柱９０側の面（すなわち裏面）との間の角度αは８８度以上９０度以下となっていることが好ましく、８９度以上９０度未満となっていることがより好ましい。このような角度にすることで、柱９０の角にぴったりとコーナーボード５０を嵌め込むことができるためである。
【００２３】
本実施の形態の紙部材３１は石膏ボード用原紙３１からなっている。つまり、第一石膏ボード芯材部２１の表面及び第二石膏ボード芯材部２２の表面を覆うようにして石膏ボード用原紙３１が設けられている。
【００２４】
また、第一石膏ボード芯材部２１の裏面にも石膏ボード用原紙３２からなる紙部材３２が設けられており、第一石膏ボード芯材部２１の裏面はこの石膏ボード用原紙３２を介して柱９０の一側面に対向することとなる。また、第二石膏ボード芯材部２２の裏面にも石膏ボード用原紙３２からなる紙部材３２が設けられており、第二石膏ボード芯材部２２の裏面はこの石膏ボード用原紙３２を介して柱９０の他側面に対向することとなる。
【００２５】
本実施の形態では、以下、室内側に位置することとなる石膏ボード用原紙３１を「室内側石膏ボード用原紙３１」と呼び、柱９０側に位置することとなる石膏ボード用原紙３２を「柱側石膏ボード用原紙３２」と呼び、両者をまとめて「石膏ボード用原紙３１，３２」と呼ぶ。なお、室内側石膏ボード用原紙３１が、特許請求の範囲に記載した「紙部材」に対応することとなる。
【００２６】
第一石膏ボード芯材部２１及び第二石膏ボード芯材部２２の表面に位置する室内側石膏ボード用原紙３１と、第一石膏ボード芯材部２１及び第二石膏ボード芯材部２２の裏面に位置する柱側石膏ボード用原紙３２の各々は、石膏４０（図５（ａ）参照）を乾燥して硬化する際に第一石膏ボード芯材部２１及び第二石膏ボード芯材部２２に固着されるものである。
【００２７】
本実施の形態の補強部材１０は不燃性材料からなっていることが好ましく、不燃性無機質材料からなることがより好ましい。そして、補強部材１０の材料の一例としては珪酸カルシウム、繊維強化セメント等である。なお、不燃性であるという制限を除くならば補強部材１０として木材を利用することもできる。また、加工が難しいという点を考慮しなければ補強部材１０として鉄等の金属を利用することもできる。
【００２８】
本実施の形態の補強部材１０は、室内側石膏ボード用原紙３１に隣接する部分で横断面が円弧形状となっている。図２に示す態様では、補強部材１０は角度αが略９０度（より具体的には８８度以上９０度以下となっていることが好ましく、８９度以上９０度未満となっていることがより好ましい。）となった扇形となっている。図３に示す態様では、補強部材１０は角度αが略９０度（より具体的には８８度以上９０度以下となっていることが好ましく、８９度以上９０度未満となっていることがより好ましい。）となった扇形に中心部分に正方形状等の矩形状の切欠き１１を設けた態様となっている。このような形状の違いが発生するのは、補強部材１０の大きさが異なるためであり、一例としては、図２に示す態様では扇形の補強部材１０の半径ｒは１２．５ｍｍ程であり、図３に示す態様では略扇形の補強部材１０の半径ｒは１５．０ｍｍ程となっている。また、第一石膏ボード芯材部２１及び第二石膏ボード芯材部２２の厚みｔは、例えば１２．５ｍｍ程となっている。ちなみに、防火性能の観点から、現在１２ｍｍ以上の厚みを持った不燃性材料からなる部材で内壁を覆うことが要求されている。
【００２９】
図２及び図３に示すように、本実施の形態では、第一石膏ボード芯材部２１に隣接して補強部材１０が配置され、補強部材１０に隣接して第二石膏ボード芯材部２２が配置され、第一石膏ボード芯材部２１及び第二石膏ボード芯材部２２は互いに接触しないようになっている。
【００３０】
本実施の形態のコーナーボード５０は、図４（ａ）に示すように柱９０の一つの角を覆うようにして設けられることもあるが、このような態様に限られることはなく、図４（ｂ）に示すように柱９０の二つの角を覆うようにして設けられてもよいし、図４（ｃ）に示すように柱９０の四つの角を覆うようにして設けられてもよい。
【００３１】
本実施の形態では、第一石膏ボード芯材部２１の幅（水平方向の長さ）ｗ１と第二石膏ボード芯材部２２の幅ｗ２が概ね同じものとなっているが、このような態様には限定されない。すなわち、第一石膏ボード芯材部２１の幅ｗ１及び第二石膏ボード芯材部２２の幅ｗ２の各々を自由に変えることができ、第一石膏ボード芯材部２１の幅ｗ１を第二石膏ボード芯材部２２の幅ｗ２よりも長くしたり、逆に、第一石膏ボード芯材部２１の幅ｗ１を第二石膏ボード芯材部２２の幅ｗ２よりも短くしたりすることができる。一例を示すと、第一石膏ボード芯材部２１の幅ｗ１及び／又は第二石膏ボード芯材部２２の幅ｗ２は５７ｍｍであったり、６５ｍｍであったり、７２ｍｍであったり、１２２０ｍｍであったり様々な大きさにすることができる。また、第一石膏ボード芯材部２１の高さ（上下方向の長さ）及び第二石膏ボード芯材部２２の高さの各々も自由に変えることができ、一例を示すと、第一石膏ボード芯材部２１の高さ及び／又は第二石膏ボード芯材部２２の高さは２４２０ｍｍであったり、２７３０ｍｍであったり、３０２０ｍｍであったり、４０００ｍｍであったり様々な高さにすることができる。
【００３２】
ちなみに、本実施の形態で用いられる第一石膏ボード芯材部２１及び第二石膏ボード芯材部２２の一例としては、不燃ＮＭ−８６１９であり、かさ密度が０．６５以上となっているものを挙げることができる。また、補強部材１０が珪酸カルシウムからなる場合には、その一例として、不燃ＮＭ−８５７６であり、かさ密度が０．６以上０．９未満となっているものを挙げることができる。
【００３３】
《製造方法》
次に、本実施の形態のコーナーボード５０を製造する方法の一例について、主に図５（ａ）−（ｅ）を用いて説明する。
【００３４】
まず、工場の製造ライン上で、室内側石膏ボード用原紙３１と柱側石膏ボード用原紙３２との間に石膏４０を流し込む（図５（ａ）参照）。なお、本実施の形態では、室内側石膏ボード用原紙３１は第一原紙供給部７１から供給され、柱側石膏ボード用原紙３２は第二原紙供給部７２から供給される。また、石膏４０は石膏供給部７５から供給される。
【００３５】
このように流し込んだ石膏４０は、製造ラインを搬送される間に乾燥及び硬化され、大きな板状の石膏ボードが製造される。このように石膏４０が乾燥及び硬化されて石膏ボード芯材２０となる際に、石膏ボード芯材２０の表面及び裏面に針状の結晶が発生し、この針状の結晶が石膏ボード用原紙３１，３２を突き刺すことで、石膏ボード芯材２０に石膏ボード用原紙３１，３２が固着する。
【００３６】
次に、大きな板状の石膏ボードを切断することで、所定の大きさの石膏ボードが製造される（図５（ｂ）参照）。
【００３７】
次に、下面側に位置する室内側石膏ボード用原紙３１を残しつつ柱側石膏ボード用原紙３２及び石膏ボード芯材２０を切削し、石膏ボード芯材２０の横断面において矩形状の凹部２３を形成し、第一石膏ボード芯材部２１及び第二石膏ボード芯材部２２を製造する（図５（ｃ）参照）。
【００３８】
次に、上述した矩形状の凹部２３内に、図２に示すように横断面が扇形の補強部材１０又は図３に示すように中心部分に矩形状の切欠き１１が形成された略扇形の補強部材１０を、円弧が下方を向くようにして載置する（図５（ｄ）参照）。
【００３９】
次に、第一石膏ボード芯材部２１及び第二石膏ボード芯材部２２を折り曲げることで、第一石膏ボード芯材部２１及び第二石膏ボード芯材部２２の間に補強部材１０を挟み込んで、第一石膏ボード芯材部２１及び第二石膏ボード芯材部２２と補強部材１０とを固着する。この結果、第一石膏ボード芯材部２１に隣接して補強部材１０が配置され、補強部材１０に隣接して第二石膏ボード芯材部２２が配置され、第一石膏ボード芯材部２１及び第二石膏ボード芯材部２２は互いに接触しないようになる（図５（ｅ）参照）。
【００４０】
以上のようにして、本実施の形態のコーナーボード５０が製造される。
【００４１】
《効果》
次に、上述した構成からなる本実施の形態によって達成される効果であって、まだ述べていない効果又はとりわけ重要な効果について説明する。
【００４２】
本実施の形態によれば、短時間で出隅を作成することができる。この点について説明する。従来では、切断することで幅方向の長さを調整した石膏ボードを二枚貼り合わせて角を作成し、作成された角の部分に補強部材を設置し、その後でパテ処理を施すことで、出隅を作成していた。このような手法を採用した場合には、二枚の石膏ボードの幅方向の長さを調整したうえで石膏ボードを二枚貼り合わせるのに約１５分かかり、パテ処理を施すのに約３０分かかってしまう。他方、本実施の形態によれば、既に完成したコーナーボード５０を出隅となる部分に設置するだけなので、出隅となる部分を作成する時間を短くすることができる。ちなみに、一般住宅では、１２〜１５箇所の出隅が存在することから、本実施の形態のコーナーボードを採用することで最大で４５分×１２〜１５＝９時間〜１１時間１５分程度の時間を短縮することができる。
【００４３】
また、従来の態様では石膏ボードを切断することでその長さを調整していることから、切断面で石膏ボード用原紙が存在しない箇所が発生してしまう。このため、石膏ボード用原紙が存在しない箇所にパテ処理を施して表面を平らにした後でクロスを貼る必要があった。他方、本実施の形態によれば、既に室内側石膏ボード用原紙３１が貼り付けられていることから、このようなパテ処理を行う必要がない。このため、施工性を高めることができ、より短時間で出隅を作成することができる。
【００４４】
また、本実施の形態では、予め工場等でコーナーボード５０を製造し、製造したコーナーボード５０を建築現場に持ち込んで、出隅になる部分に取り付ける。このため、例えば大工の腕の良さ等に影響されず、安定して高品質、例えば真っ直ぐに上下方向に延び、表面に凹凸のない出隅を作成することができる。
【００４５】
本実施の形態のコーナーボード５０の石膏ボード用原紙３１，３２は、石膏４０を硬化して石膏ボード芯材２０を形成する際に石膏ボード芯材２０に固着される。このため、改めて石膏ボード用原紙３１，３２を第一石膏ボード芯材部２１及び第二石膏ボード芯材部２２に貼り付ける必要がなく、石膏ボード用原紙３１，３２を含むコーナーボード５０を容易に製造することができる。
【００４６】
本実施の形態の補強部材１０は不燃性材料、より好ましくは不燃性無機質材料（典型的には珪酸カルシウム）からなっていることから、高い防火性能を発揮することができる。そして、図２及び図３に示すように、第一石膏ボード芯材部２１に隣接して補強部材１０が配置され、補強部材１０に隣接して第二石膏ボード芯材部２２が配置され、第一石膏ボード芯材部２１及び第二石膏ボード芯材部２２は互いに接触しないようになっている。このため、本実施の形態では、広い範囲を不燃性材料からなる補強部材１０が占めることとなり、仮に補強部材１０の材料が石膏ボードの材料よりも防火性能が高い場合には、より高い防火性能を発揮することができる。なお、有機材料を採用した場合には、変形してしまう可能性、腐ってしまう可能性等があることから、補強部材１０は不燃性無機質材料からなることが好ましい。このように補強部材１０が変形してしまう、より具体的には伸縮してしまう場合にはクラックの原因となることからあまり好ましくない。
【００４７】
また、本実施の形態では、図２に示すように横断面が扇形となっている補強部材１０を採用したり、図３に示すように中心部分に矩形状の切欠き１１が形成された略扇形の補強部材１０を採用したりすることができる。このため、出隅になる部分のＲ（丸み）を大きくしたり小さくしたりすることができる。つまり、図２に示すように横断面が扇形となっている補強部材１０を採用することによって出隅になる部分のＲを小さくすることができ、図３に示すように中心部分に矩形状の切欠き１１が形成された略扇形の補強部材１０を採用することによって出隅になる部分のＲを大きくすることができる。
【００４８】
第２の実施の形態
次に、主に図６及び図７（ａ）−（ｅ）を用いて、本発明の第２の実施の形態について説明する。
【００４９】
第１の実施の形態では、補強部材１０が不燃性材料、好ましくは不燃性無機質材料からなっていた。また、補強部材１０は、その横断面が扇形となったり（図２参照）、中心部分に矩形状の切欠き１１が形成された略扇形となったりしていた（図３参照）。そして、第一石膏ボード芯材部２１に隣接して補強部材１０が配置され、補強部材１０に隣接して第二石膏ボード芯材部２２が配置され、第一石膏ボード芯材部２１及び第二石膏ボード芯材部２２は互いに接触しないようになっていた。
【００５０】
他方、本実施の形態では、補強部材１５は樹脂等の難燃性材料からなり、典型的には塩化ビニル等の難燃性材料からなっている。そして、本実施の形態の補強部材１５は、図６に示すように中空の柱形状となっていることが好ましい。なお、本実施の形態でも、不燃性であるという制限を除くならば補強部材１０として木材を利用することもできる。また、加工が難しいという点を考慮しなければ補強部材１０として鉄等の金属を利用することもできる。また、補強部材１５は必ずしも中空となっている必要はなく、本実施の形態の補強部材１５は例えば円柱形状となっていてもよい。また、補強部材１５が不燃性材料からなるものも当然採用することができる。
【００５１】
図６に示すように、本実施の形態では、第一石膏ボード芯材部２１及び第二石膏ボード芯材部２２は柱９０側に位置することとなる部分で互いに接触し、第一石膏ボード芯材部２１の室内側に位置することとなる部分（特許請求の範囲の「紙部材側の部分」に対応する。）に隣接して補強部材１５が配置され、かつ、第二石膏ボード芯材部２２の室内側に位置することとなる部分に隣接して補強部材１５が配置され、第一石膏ボード芯材部２１及び第二石膏ボード芯材部２２の当該室内側に位置することとなる部分は互いに接触しないようになっている。ちなみに、本実施の形態で用いられる柱形状の補強部材１５の直径は例えば約４ｍｍになっている。上述したように、防火性能の観点から、現在１２ｍｍ以上の厚みを持った不燃性材料からなる部材で内壁を覆うことが要求されているが、このように柱形状の補強部材１５の直径を約４ｍｍとし、約１２．５ｍｍの厚みから成る第一石膏ボード芯材部２１及び第二石膏ボード芯材部２２を用いることで、上記要求を満たすことができる。
【００５２】
第２の実施の形態において、その他の構成は、第１の実施の形態と略同一の態様となっている。第２の実施の形態において、第１の実施の形態と同一部分には同一符号を付して詳細な説明は省略する。
【００５３】
《製造方法》
次に、本実施の形態のコーナーボード５０を製造する方法の一例について、主に図７（ａ）−（ｅ）を用いて説明する。第１の実施の形態で記載した内容と重複する箇所に関しては、適宜省略しながら説明する。
【００５４】
まず、工場の製造ライン上で、室内側石膏ボード用原紙３１と柱側石膏ボード用原紙３２との間に石膏４０を流し込む（図７（ａ）参照）。
【００５５】
このように流し込んだ石膏４０は、製造ラインを搬送される間に乾燥及び硬化され、大きな板状の石膏ボードが製造される。このように石膏４０が乾燥及び硬化されて石膏ボード芯材２０となる際に、石膏ボード芯材２０の表面及び裏面に針状の結晶が発生し、この針状の結晶が石膏ボード用原紙３１，３２を突き刺すことで、石膏ボード芯材２０に石膏ボード用原紙３１，３２が固着する。
【００５６】
次に、大きな板状の石膏ボードを切断することで、所定の大きさの石膏ボードが製造される（図７（ｂ）参照）。
【００５７】
次に、下面側に位置する室内側石膏ボード用原紙３１を残しつつ柱側石膏ボード用原紙３２及び石膏ボード芯材２０を切削し、石膏ボード芯材２０の横断面において下方が円形となり上方が当該円形に連なった逆三角形となっている凹部２８，２９を形成し、第一石膏ボード芯材部２１及び第二石膏ボード芯材部２２を製造する（図７（ｃ）参照）。つまり、本実施の形態の凹部２８，２９は、横断面が略円形状の略円形部２８と、横断面が略逆三角形状の略逆三角形部２９とを有している。
【００５８】
次に、上述した凹部２８，２９内に、中空の柱形状の補強部材１５を載置する（図７（ｄ）参照）。より具体的には、略逆三角形部２９の下端を水平方向に開いたうえで、略円形部２８内に中空の柱形状の補強部材１５を押し込む。
【００５９】
次に、第一石膏ボード芯材部２１及び第二石膏ボード芯材部２２を折り曲げることで、第一石膏ボード芯材部２１及び第二石膏ボード芯材部２２の間に補強部材１５を挟み込んで、第一石膏ボード芯材部２１と第二石膏ボード芯材部２２とを固着する。この結果、第一石膏ボード芯材部２１及び第二石膏ボード芯材部２２は柱９０側に位置することとなる部分で互いに接触し、第一石膏ボード芯材部２１の室内側に位置することとなる部分に隣接して補強部材１５が配置され、かつ、第二石膏ボード芯材部２２の室内側に位置することとなる部分に隣接して補強部材１５が配置され、第一石膏ボード芯材部２１及び第二石膏ボード芯材部２２の当該室内側に位置することとなる部分は互いに接触しないようになる（図７（ｅ）参照）。
【００６０】
以上のようにして、本実施の形態のコーナーボード５０が製造される。
【００６１】
《効果》
本実施の形態でも、第１の実施の形態と同様の効果を奏することができる。第１の実施の形態で詳細に説明したことから、本実施の形態における効果については適宜省略しながら説明する。
【００６２】
本実施の形態によれば、既に完成したコーナーボード５０を出隅となる部分に設置するだけなので、短時間で出隅を作成することができる。
【００６３】
また、本実施の形態によれば、既に室内側石膏ボード用原紙３１が貼り付けられていることから、改めてパテ処理を行う必要がなく施工性を高めることができ、より短時間で出隅を作成することができる。
【００６４】
また、本実施の形態では、予め工場等でコーナーボード５０を製造し、製造したコーナーボード５０を建築現場に持ち込んで、出隅になる部分に取り付ける。このため、例えば大工の腕の良さ等に影響されず、安定して高品質な出隅を作成することができる。
【００６５】
また、本実施の形態のコーナーボード５０の石膏ボード用原紙３１，３２は、石膏４０を硬化して石膏ボード芯材２０を形成する際に石膏ボード芯材２０に固着される。このため、改めて石膏ボード用原紙３１，３２を第一石膏ボード芯材部２１及び第二石膏ボード芯材部２２に貼り付ける必要がなく、本実施の形態のコーナーボード５０を容易に製造することができる。
【００６６】
本実施の形態では珪酸カルシウムのような不燃性材料ではなく、難燃性材料を用いている。他方、補強部材１５は中空の柱形状となっている。このため、本実施の形態のように難燃性材料を用いたとしても、高い防火性能を実現することができる。この点について説明する。難燃性材料は不燃性材料よりも防火性能が劣るため、難燃性材料を採用した場合には、不燃性材料を採用した場合と比較してどうしても防火性能が低下することを避けられない。この点、本実施の形態では、補強部材１５は中空の柱形状となっていることから、仮に難燃性材料が燃えたときであってもその熱量を下げることができる。この結果、不燃性材料を用いた場合と比較すると劣るものの、高い防火性能を実現することができる。
【００６７】
また、本実施の形態では、第一石膏ボード芯材部２１及び第二石膏ボード芯材部２２は柱９０側に位置することとなる部分で互いに接触する。このため、不燃性材料である石膏ボードを用いた領域を広くすることができ、高い防火性能を実現することができる。
【００６８】
他方、第一石膏ボード芯材部２１の室内側に位置することとなる部分に隣接して補強部材１５が配置され、かつ、第二石膏ボード芯材部２２の室内側に位置することとなる部分に隣接して補強部材１５が配置され、第一石膏ボード芯材部２１及び第二石膏ボード芯材部２２の当該室内側に位置することとなる部分は互いに接触しないので、出隅になる部分を補強部材１５によって確実に補強することができる。
【００６９】
また、本実施の形態では、柱形状からなる補強部材１５の径は小さく、第一石膏ボード芯材部２１及び第二石膏ボード芯材部２２の室内側に位置することとなる部分の間に補強部材１５が設置され、第一石膏ボード芯材部２１及び第二石膏ボード芯材部２２は柱９０側に位置することとなる部分で互いに接触することとなる。このため、第１の実施の形態と同じ厚さの第一石膏ボード芯材部２１及び第二石膏ボード芯材部２２を採用した場合には、第１の実施の形態の態様と比較して、Ｒをより小さくすることができる。なお、珪酸カルシウムはもろい性質があることから、本実施の形態のように径の小さな柱形状とすることは非常に困難である。
【００７０】
なお、本実施の形態でも、第一石膏ボード芯材部２１の柱９０側の面と第二石膏ボード芯材部２２の柱９０側の面との間の角度αは８８度以上９０度以下となっていることが好ましく、８９度以上９０度未満となっていることが好ましい。このような角度にすることで、柱９０の角にぴったりとコーナーボード５０を嵌め込むことができるためである。
【００７１】
ところで、上述した各実施の形態では、柱９０に対してコーナーボード５０が密着している態様となっていたが、これに限られることはなく、図８（ａ）（ｂ）に示すように、柱９０とコーナーボード５０との間に間隙が設けられていてもよい。なお、この場合でも、第一石膏ボード芯材部２１は裏面で柱９０の一側面に対向し、第二石膏ボード芯材部２２は裏面で柱９０の一側面に隣接する他側面に対向し、コーナーボード５０が柱９０の一側面及び他側面によって形成される角部を覆うこととなる。なお、図８（ａ）（ｂ）では第２の実施の形態におけるコーナーボード５０を用いて説明しているが、これに限られることはなく、第１の実施の形態におけるコーナーボード５０に関しても、図８（ａ）（ｂ）に示すように、柱９０とコーナーボード５０との間に間隙が設けられていてもよい。ちなみに、図８（ａ）（ｂ）に示した柱９０は窓枠を形成するために用いられている。
【００７２】
また、上述した各実施の形態では、出隅になる部分がＲ（丸み）を有する態様を用いて説明しているが、これに限られることはなく、出隅になる部分はＲ（丸み）を有さず、完全に直交し９０度を形成する態様となっていてもよい。
【００７３】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００７４】
１０        補強部材
１５        補強部材
２０        石膏ボード芯材
２１        第一石膏ボード芯材部
２２        第二石膏ボード芯材部
２３        矩形状の凹部
２８        略円形部
２９        略逆三角形部
３１        室内側石膏ボード用原紙（紙部材）
３２        柱側石膏ボード用原紙
４０        石膏
５０        コーナーボード
９０        柱
【図１】
2015151743.tif 000003
【図２】
2015151743.tif 000004
【図３】
2015151743.tif 000005
【図４】
2015151743.tif 000006
【図５】
2015151743.tif 000007
【図６】
2015151743.tif 000008
【図７】
2015151743.tif 000009
【図８】
2015151743.tif 000010